(57)【要約】【課題】ループを作る安定した構造と切断刃を固定タイプとして安全面上好ましい構造とする。【解決手段】粘着テープ９が固定自在に支持された本体３と一体形状の切断支持部５に、粘着テープ９が細い帯状に接着するテープ接着固定面１３と、ループ９ａを作るループ作成前進位置及び後退した待機位置とに移動可能なテープ接着面２１を備えたテープ可動部材１５と、前記テープ可動部材１５の前進により上昇しテープ可動部材１５のテープ接着面２１からループ９ａが作られた粘着テープ９を上方へ引き離す上下動可能なテープ引き離し部材１７と、前記テープ可動部材１５を後退した待機位置へ常時付勢する付勢部材２５と、付勢部材２５に抗してテープ可動部材１５をループ作成前進位置へ前進させる押圧部２３とを備えた構成とする。【選択図】図１
2008030926.tif 000002
【特許請求の範囲】
【請求項１】
粘着テープが回転自在に支持された本体と一体形状の切断支持部に、前記粘着テープを所定の長さに切断する切断固定刃と、前記粘着テープを所定の長さに引き出した時にその粘着テープが細い帯状に接着するテープ接着固定面と、そのテープ接着固定面に接近した時に粘着テープにループを作るループ作成前進位置と、前進位置から後退し前記切断固定刃の内側で待機する後退した待機位置とに移動可能なテープ接着面を備えたテープ可動部材と、前記テープ可動部材の前進により上昇していき、その上昇完了時にループが作られた粘着テープをテープ可動部材のテープ接着面から上方へ引き離す上下動可能なテープ引き離し部材と、前記テープ可動部材を後退した待機位置へ常時付勢する付勢部材と、付勢部材に抗してテープ可動部材をループ作成前進位置へ前進させる押圧部とを備えていることを特徴とする粘着テープ端末切断装置。
【請求項２】
前記切断固定刃と、テープ接着固定面と、テープ可動部材と、テープ引き離し部材と付勢部材はユニットケースに装着セットされたユニット構造となっていることを特徴とする請求項１記載の粘着テープ端末切断装置。
【発明の詳細な説明】
【技術分野】
【０００１】
本発明は、粘着テープを所定の長さに切断する粘着テープ端末切断装置に関する。
【背景技術】
【０００２】
一般に粘着テープはテープカッタに装着して使用される。テープカッタは鋸歯状のカッタ刃が設けられ、粘着テープを所定の長さ引き出しカッタ刃にあてることで希望する長さに切断することができるようになっている。
【０００３】
粘着テープは、目的の場所に貼りつけるとその接着力によってテープ両端末は確実に接着された接着状態となるために引き剥がしが大変面倒となる。
【０００４】
このために、接着した粘着テープを容易に端から引き剥がすことができるように、テープの端末部にループ状の摘み部を作る手段が多数出願されている。
【特許文献１】特願２００５−３４３６４２号公報
【発明の開示】
【発明が解決しようとする課題】
【０００５】
テープの端末部にループ状の摘み部を作る手段の概要は、固定テープ受部材に対して前進した状態と後退した状態とに回動するカッタ部材を備えた可動テープ受部材をヒンジを支点として前進、後退可能に支持する構造となっている。
【０００６】
したがって、引き出した粘着テープを固定テープ受部材と可動テープ受部材とに接着した後、前記可動テープ受部材を前進させることで固定テープ受部材を支点として上方にループが作られるようになっている。
【０００７】
この手段は構造がシンプルでアイデアとしては大変優れており、その他多数出願されている公知文献から鑑みて、製品化されてもおかしくない発明ですが、今だに製品化されていないのが現状となっている。
【０００８】
製品化されない理由として、例えば、ヒンジを支点としてカッタ部材が回動する回動タイプとなるために安全面の上からあまり好ましくないことと、ヒンジを支点として回動する不安定な構造がネックとなっていること等が考えられる。
【０００９】
そこで本発明にあっては、ループを作る安定した構造とカッタ刃を固定タイプとして製品化しやすくした粘着テープ端末切断装置を提供することを目的としている。
【課題を解決するための手段】
【００１０】
前記目的を達成するために、本発明にあっては、粘着テープが回転自在に支持された本体と一体形状の切断支持部に、前記粘着テープを所定の長さに切断する切断固定刃と、前記粘着テープを所定の長さに引き出した時にその粘着テープが細い帯状に接着するテープ接着固定面と、そのテープ接着固定面に接近した時に粘着テープにループを作るループ作成前進位置と、前進位置から後退し前記切断固定刃の内側で待機する後退した待機位置とに移動可能なテープ接着面を備えたテープ可動部材と、前記テープ可動部材の前進により上昇していき、その上昇完了時にループが作られた粘着テープをテープ可動部材のテープ接着面から上方へ引き離す上下動可能なテープ引き離し部材と、前記テープ可動部材を後退した待機位置へ常時付勢する付勢部材と、付勢部材に抗してテープ可動部材をループ作成前進位置へ前進させる押圧部とを備えていることを特徴とする。
【００１１】
そして好ましい実施形態として、前記切断固定刃とテープ接着固定面と、テープ可動部材と、テープ引き離し部材と付勢部材はユニットケースに装着セットされたユニット構造として加工性、組付性を容易にする。
【発明の効果】
【００１２】
本発明によれば、粘着テープを所定長さ引き出し、引き出した粘着テープを切断固定刃にあてることで通常のカッタとして使用できる。
【００１３】
また、引き出した粘着テープをテープ接着固定面とテープ可動部材のテープ接着面に接着しておき、押圧部の操作によってテープ可動部材をループ作成前進位置へ前進させることでテープ接着固定面を支点として上方にループを作ることができる。
【００１４】
同時に、上昇するテープ引き離し部材によってループが作られた粘着テープをテープ可動部材のテープ接着面から上方へ引き剥がすことができると共に、押圧部から手を離せば、テープ可動部材を無理なく後退した待機位置へ迅速、円滑に戻すことができる。
【００１５】
また、切断固定刃を固定タイプにできるため、製品化した時に安全面においても大変好ましいものとなる。
【発明を実施するための最良の形態】
【００１６】
以下、図１乃至図４の図面を参照しながら本発明の実施形態について具体的に説明する。
【００１７】
図１は本発明にかかる粘着テープ端末切断装置を示した概要切断説明図である。粘着テープ端末切断装置１は本体３と本体３から一体に形成され切断部を構成する切断支持部５とを有している。本体３のテープ装着部７には一般的な公知手段によって粘着テープ９が交換可能で、かつ、回転自在に装着セットされている。
【００１８】
切断支持部５は本体３との間に上方が開放された間隙Ｌを有して上方に立上がる形状に作られている。切断支持部５にはユニット構造によって切断固定刃１１の外に、テープ接着面１３、テープ可動部材１５、テープ引き離し部材１７が装着セットされている。
【００１９】
具体的に説明すると、ユニット構造を構成するユニットケース１９は図４に示す如く前面１９ａ、後面１９ｂ、両側面１９ｃからなる角筒状の形状に作られていて、後面１９ｂには鋸歯状に形成された前記切断固定刃１１が固定支持されている。
【００２０】
テープ接着固定面１３は、ユニットケース１９の前面１９ａの板厚上端面によって細い帯状に形成され、前記切断固定刃１１と所定の距離を有して対向配置された構造となっている。
【００２１】
テープ可動部材１５は、前記切断固定刃１１とテープ接着固定面１３との間で、ユニットケース１９内に配置された垂直な板状の形状に作られていて、両側下端部に設けられたガイド突起１５ａがユニットケース１９のガイドレール下面２０に沿ってスライドすることで前記したテープ接着固定面１３に対して前進したループ作成前進位置（図２、実線）と前進位置から後退し切断固定刃１１の内側に後退した待機位置（図１、実線）とに前進、後退可能となっている。テープ可動部材１５の上端面には左右一対のテープ接着面２１が、後面には押圧部２３がそれぞれ設けられる一方、前面には付勢部材２５が作用している。
【００２２】
左右一対のテープ接着面２１は板状に作られたテープ可動部材１５の上端縁を所定の深さまで削り取ることによって形成され、テープ接着面２１とテープ接着面２１の間及び両サイドはテープ引き離し部材１９を上方へ押しる上げ面２７となっている。
【００２３】
付勢部材２５はコイルばねとなっていて一端はユニットケース１９の前面１９ａに、他端はテープ可動部材１５にそれぞれ支持されていて、テープ可動部材１５を切断固定刃１１の内側へ後退させた待機位置（図１、実線）へ向けて常時付勢している。
【００２４】
押圧部２３は、前記テープ可動部材１５から後方へ延長されユニットケース１９の外方に突出している。したがって、前記付勢部材２５に抗して押圧部２３を押圧（矢印Ｆ）することでテープ可動部材１５をループ作成前進位置（図２、実線）へ向けて押圧可能となっている。
【００２５】
一方、テープ引き離し部材１７は、図４に示すように側面からみて水平面２９ａと傾斜面２９ｂと垂直面２９ｃからなる三角形状で、平面からみて三列に並列配置されたくし歯状の形状となっている。くし歯状に形成されたテープ引き離し部材１７は、テープ可動部材１５のテープ接着面２１と接着面２１の間に整列配置されると共に、傾斜面２９ｂはテープ可動部材１５の各押し上げ面２７に接触作用している。
【００２６】
垂直面２９ｃの両サイド２９ｄはユニットケース１９の両側面１９ｃ，１９ｃに沿って設けられた上下のガイド溝３１によって上下動自在に嵌合セットされ、常時は自重によって最下位となるガイド溝３１の溝底に支持されている。
【００２７】
テープ引き離し部材１７の傾斜面２９ｃは、前記テープ可動部材１５の押し上げ面２７と接着作用していることは前記した通りであるが、押し上げ面２７の前進によって無理なく上方へ向け押し上げられる傾斜角度に設定されている。
【００２８】
上昇完了時のテープ引き離し部材１７はユニットケース１９に設けられたストッパー３３と当接し、テープ可動部材１５のテープ接着面２１から上方へ突出することで、テープ接着面２１から粘着テープ９を引き剥がす作用が確保されるようになっている。
【００２９】
このように構成された粘着テープ端末切断装置１によれば、粘着テープ９を所定長さ引き出し、引き出した粘着テープ９を切断固定刃１１にあてることで通常のカッタとして使用できる。
【００３０】
また、引き出した粘着テープ９をテープ接着固定面１３とテープ可動部材１５のテープ接着面２１に接着しておき、押圧部２３の押圧操作によってテープ可動部材１５をループ作成前進位置（図２、実線）へ前進させることでテープ接着固定面１３を支点として上方にループ９ａを作ることができる。
【００３１】
同時に、上昇するテープ引き離し部材１７によって粘着テープ９をテープ可動部材１５のテープ接着面２１から上方へ引き剥がすと共に、押圧部２３から手を離せば、テープ可動部材１５を後退した待機位置（図１、実線）へ迅速、円滑に戻すことができる。
【図面の簡単な説明】
【００３２】
【図１】本発明にかかる粘着テープ端末切断装置の概要切断説明図。
【図２】ループ可動部材をループ作成前進位置とした時にループを作成した状態を示す概要説明図。
【図３】切断支持部の概要平面図。
【図４】ユニットケースに対する引き離し部材とテープ可動部材の関係を示した分解概要説明図。
【符号の説明】
【００３３】
３    本体
５    切断支持部
９    粘着テープ
９ａ    ループ
１１    切断固定刃
１３    テープ接着固定面
１５    テープ可動部材
１７    テープ引き離し部材
１９    ユニットケース
２３    押圧部
２５    付勢部材
【図１】
2008030926.tif 000003
【図２】
2008030926.tif 000004
【図３】
2008030926.tif 000005
【図４】
2008030926.tif 000006